(57)【要約】【課題】  二酸化炭素排出量・消費電力などの削減目標値を達成するための、電源オフ・省電力モードの移行時間を計算可能である画像形成装置管理システムを提供する。【解決手段】  画像形成装置でジョブ処理が行われていない時間帯を電源オフ、または省電力モードに移行するように電源状態変更時刻を計算する電源状態変更時刻計算手段と、画像形成装置でジョブ処理が行われていない時間帯を電源オフ、省電力モードに移行した場合の二酸化炭素排出量・消費電力などの削減効果を算出する削減効果算出手段と、削減効果算出手段で算出した効果が、予め設定された削減目標値を達成していない場合に、目標値を達成するように電源状態変更時刻を計算する電源状態変更時刻再計算手段と、を備える。【選択図】  図１３
2012253577.tif 000002
【特許請求の範囲】
【請求項１】
ネットワークに接続された複数の画像形成装置の電源状態を変更可能な画像形成装置管理システムであって、
前記管理システムに設けられ、前記画像形成装置でジョブ処理が行われていない時間帯を電源オフ、または省電力モードに移行するように電源状態変更時刻を計算する電源状態変更時刻計算手段（Ｓ１３０３）と、
前記管理システムに設けられ、前記画像形成装置でジョブ処理が行われていない時間帯を電源オフ、省電力モードに移行した場合の二酸化炭素排出量・消費電力の削減効果を算出する削減効果算出手段（Ｓ１４１１）と、
前記管理システムに設けられ、前記削減効果算出手段で算出した削減効果が、予め設定された削減目標値を達成していない場合に、目標値を達成するように電源状態変更時刻を計算する電源状態変更時刻再計算手段（Ｓ１３０５）と、
を備えることを特徴とする画像形成装置管理システム。
【請求項２】
前記電源状態変更時刻再計算手段は、画像形成装置におけるジョブ処理中時間が少ない時間帯を電源オフ、または省電力モードに移行するように電源状態変更時刻を計算する（Ｓ１５０８）ことを特徴とする請求項１に記載の画像形成装置管理システム。
【請求項３】
前記電源状態変更時刻再計算手段は、画像形成装置の構成情報に基づき、優先的に電源オフ、または省電力モードに移行する画像形成装置を決定する（Ｓ１５０４）ことを特徴とする請求項１または請求項２に記載の画像形成装置管理システム。
【請求項４】
前記電源状態変更時刻再計算手段は、画像形成装の消費電力情報に基づき、優先的に電源オフ、または省電力モードに移行する画像形成装置を決定する（Ｓ１５０８）ことを特徴とする請求項１乃至請求項３のいずれか１項に記載の画像形成装置管理システム。
【請求項５】
ネットワークに接続された複数の画像形成装置の電源状態を変更可能な画像形成装置管理装置であって、
前記管理装置に設けられ、前記画像形成装置でジョブ処理が行われていない時間帯を電源オフ、または省電力モードに移行するように電源状態変更時刻を計算する電源状態変更時刻計算手段（Ｓ１３０３）と、
前記管理装置に設けられ、前記画像形成装置でジョブ処理が行われていない時間帯を電源オフ、省電力モードに移行した場合の二酸化炭素排出量・消費電力の削減効果を算出する削減効果算出手段（Ｓ１４１１）と、
前記管理装置に設けられ、前記削減効果算出手段で算出した削減効果が、予め設定された削減目標値を達成していない場合に、目標値を達成するように電源状態変更時刻を計算する電源状態変更時刻再計算手段（Ｓ１３０５）と、
を備えることを特徴とする画像形成装置管理装置。
【請求項６】
ネットワークに接続された複数の画像形成装置の電源状態を変更可能な画像形成装置管理方法であって、
前記管理方法に設けられ、前記画像形成装置でジョブ処理が行われていない時間帯を電源オフ、または省電力モードに移行するように電源状態変更時刻を計算する電源状態変更時刻計算工程（Ｓ１３０３）と、
前記管理方法に設けられ、前記画像形成装置でジョブ処理が行われていない時間帯を電源オフ、省電力モードに移行した場合の二酸化炭素排出量・消費電力の削減効果を算出する削減効果算出工程（Ｓ１４１１）と、
前記管理方法に設けられ、前記削減効果算出工程で算出した効果が、予め設定された削減目標値を達成していない場合に、目標値を達成するように電源状態変更時刻を計算する電源状態変更時刻再計算工程（Ｓ１３０５）と、
を備えることを特徴とする画像形成装置管理方法。
【請求項７】
ネットワークに接続された複数の画像形成装置の電源状態を変更可能な画像形成装置管理システムにおいて、
前記管理システムに設けられ、前記画像形成装置でジョブ処理が行われていない時間帯を電源オフ、または省電力モードに移行するように電源状態変更時刻を計算する電源状態変更時刻計算手段（Ｓ１３０３）と、
前記管理システムに設けられ、前記画像形成装置でジョブ処理が行われていない時間帯を電源オフ、省電力モードに移行した場合の二酸化炭素排出量・消費電力の削減効果を算出する削減効果算出手段（Ｓ１４１１）と、
前記管理システムに設けられ、前記削減効果算出手段で算出した効果が、予め設定された削減目標値を達成していない場合に、目標値を達成するように電源状態変更時刻を計算する電源状態変更時刻再計算手段（Ｓ１３０５）と、
を備えることを特徴とするプログラム。
【発明の詳細な説明】
【技術分野】
【０００１】
本発明は、画像形成装置の稼働状況を管理する画像形成装置管理システム、管理装置、画像形成装置管理方法及びプログラムに関する。
【背景技術】
【０００２】
近年、二酸化炭素等の温室効果ガスの排出量を低減するために、プリンタや複合機等の画像形成装置使用時における消費電力量を低減することが求められている。消費電力を低減するための一つの方法として、画像形成装置が使用されていない時間帯は省電力モードに移行する、または電源オフするなどがある。例えば、特許文献１には、待機モード・省電力モードの状態遷移を記憶して、自身が使用される頻度・内容を学習し、省電力モード移行時間を最適化する技術が開示されている。これによれば、管理者が面倒な作業（複数の省電力モードの移行時間の設定など）をせずとも、移行時間の最適化が図れ、消費電力を低減できる。
【先行技術文献】
【特許文献】
【０００３】
【特許文献１】特開２００８−７２３９１号公報
【発明の概要】
【発明が解決しようとする課題】
【０００４】
しかしながら、上記特許文献１に記載の装置では、どの程度の二酸化炭素排出量・消費電力が削減されたかの効果を知ることができない。そのため、二酸化炭素排出量・消費電力の削減目標値を達成できるか否かを知ることができない。つまり、二酸化炭素排出量・消費電力の削減目標値を達成できない場合に、どのような設定を行えば、削減目標値を達成できるのかがわからない。
【０００５】
本発明は、上記課題に鑑みてなされたものであり、二酸化炭素排出量・消費電力の削減目標値を達成するための、画像形成装置の電源オフ・省電力モードの移行時間を計算可能である画像形成装置管理システム、管理装置、画像形成装置管理方法及びプログラムを提供するものである。
【課題を解決するための手段】
【０００６】
ネットワークに接続された複数の画像形成装置の電源状態を変更可能な画像形成装置管理システムであって、
前記管理システムに設けられ、前記画像形成装置でジョブ処理が行われていない時間帯を電源オフ、または省電力モードに移行するように電源状態変更時刻を計算する電源状態変更時刻計算手段（Ｓ１３０３）と、
前記管理システムに設けられ、前記画像形成装置でジョブ処理が行われていない時間帯を電源オフ、省電力モードに移行した場合の二酸化炭素排出量・消費電力などの削減効果を算出する削減効果算出手段（Ｓ１４１１）と、
前記管理システムに設けられ、前記削減効果算出手段で算出した削減効果が、予め設定された削減目標値を達成していない場合に、目標値を達成するように電源状態変更時刻を計算する電源状態変更時刻再計算手段（Ｓ１３０５）と、
を備えることを特徴とする画像形成装置管理システム。
【発明の効果】
【０００７】
本発明によれば、二酸化炭素排出量・消費電力の削減目標値を達成するための、画像形成装置の電源オフ・省電力モードの移行時間を計算可能である画像形成装置管理システム、管理装置、画像形成装置管理方法及びプログラムを提供することができる。
【図面の簡単な説明】
【０００８】
【図１】本発明の実施形態を示す画像形成装置管理システムの構成を示す模式図である。
【図２】ホストコンピュータ１０１、分析サーバー１０２の内部構成の一例を示すブロック図である。
【図３】複合機１０４の内部構成の一例を示すブロック図である。
【図４】ホストコンピュータ１０１の機能的構成の一例を示すブロック図である。
【図５】分析サーバー１０２の機能的構成の一例を示すブロック図である。
【図６】複合機１０４のデータ処理構成の一例を示すブロック図である。
【図７】画像情報形成装置情報テーブルの一例を示す図である。
【図８】ジョブログテーブルの一例を示す図である。
【図９】状態遷移ログテーブルの一例を示す図である。
【図１０】分析結果テーブル（月別）の一例を示す図である。
【図１１】分析結果テーブル（時間帯別）の一例を示す図である。
【図１２】分析処理の処理手順の一例を示すフローチャートである。
【図１３】消費電力分析処理の処理手順の一例を示すフローチャートである。
【図１４】電源状態変更設定処理の処理手順の一例を示すフローチャートである。
【図１５】電源状態変更再設定処理の処理手順の一例を示すフローチャートである。
【発明を実施するための形態】
【０００９】
以下、本発明を実施するための最良の形態について図面を用いて説明する。
【００１０】
＜実施例１＞
＜システム構成の説明＞
図１は、本発明の実施形態を示す画像形成装置管理システムの構成を示す模式図である。
【００１１】
図１において、１０１はホストコンピュータで、ユーザーが使用して画像データを生成し、印刷を行う。ホストコンピュータ１０１には、後述するハードウェア資源と、オペレーティングシステム（ＯＳ）、プリンタドライバ等を含むソフトウエア資源を備える。
【００１２】
さらに、ホストコンピュータ１０１はネットワーク１０５に接続される画像形成装置と所定のプロトコルで通信可能に接続されている。
【００１３】
１０３はプリンタで、ネットワークを介して受信した印刷データを受け取り、電子写真技術やインクジェット技術などの既知の印刷技術を利用して実際の用紙に印刷を行う。１０４は複合機（ＭＦＰ（Ｍｕｌｔｉ  Ｆｕｎｃｔｉｏｎ  Ｐｒｉｎｔｅｒ））で、ネットワークを介して受信した印刷データを受け取り、電子写真技術やインクジェット技術などの既知の印刷技術を利用して実際の用紙に印刷を行う。
【００１４】
また、複合機１０４は、スキャナを介して紙原稿を読み取り、コピーを行ったり、画像データに変換しＥｍａｉｌなどで送信したりする機能も持つ。もちろん、コピー機能を持たない、プリンタも適用可能である。
【００１５】
１０２は分析サーバーで、プリンタ１０３や複合機１０４の二酸化炭素排出量や消費電力などの分析を行う。
【００１６】
なお、ホストコンピュータ１０１、複合機１０４、プリンタ１０３、分析サーバー１０２はイーサネット（登録商標）などの既知の技術によるネットワーク１０５により相互に通信可能に接続されている。
【００１７】
また、本実施形態では、分析サーバー１０２をプリンタ１０３、複合機１０４とは別構成として設けているが、同様の機能をもつモジュールをプリンタ１０３、複合機１０４の内部に設けるように構成しても構わない。この場合、分析サーバー１０２とプリンタ１０３、複合機１０４の間で行われるネットワーク通信は、システムバスなどを介したデータの受け渡しに置き換えて考えられる。
【００１８】
＜コンピュータの内部構成＞
図２は、ホストコンピュータ１０１、分析サーバー１０２を構成する情報処理装置の内部構成の一例を示すブロック図である。
【００１９】
図２において、２００はコンピュータ全体（ＰＣ）である。
【００２０】
ＰＣ２００は、ＲＯＭ２０２あるいは、例えば大規模記憶装置としてのＨＤ２１１に記憶されたソフトウエアを実行するＣＰＵ２０１を備え、ＣＰＵ２０１はシステムバス２０５に接続される各画像形成装置を総括的に制御する。
【００２１】
２０３はＲＡＭで、ＣＰＵ２０１の主メモリ、ワークエリア等として機能する。
【００２２】
２０４はネットワークインターフェースカード（ＮＩＣ）で、ネットワーク１０５を介して、他のノードと双方向にデータをやりとりする。
【００２３】
２０６はキーボードコントローラ（ＫＢＤＣ）で、ＰＣに備えられたキーボード（ＫＢＤ）２０９からの指示入力を制御する。
【００２４】
２０７はディスプレイコントローラ（ＤＩＳＰＣ）で、例えば液晶ディスプレイなどで構成される表示モジュール（ＤＩＳＰＬＡＹ）２１０の表示を制御する。
【００２５】
２０８はディスクコントローラ（ＤＫＣ）であり、大容量記憶画像形成装置であるハードディスク（ＨＤ）２１１を制御する。
【００２６】
＜複合機の内部構成＞
図３は、図１に示した複合機１０４の内部構成の一例を示すブロック図である。
【００２７】
図３において、３００は複合機全体である。
【００２８】
複合機３００は、ＲＯＭ３０２あるいは例えばハードディスクなどの大規模記憶装置としてのＨＤ３１３に記憶されたソフトウエアを実行するＣＰＵ３０１を備え、ＣＰＵ３０１はシステムバス３０５に接続される各画像形成装置を総括的に制御する。
【００２９】
３０３はＲＡＭで、ＣＰＵ３０１の主メモリ、ワークエリア等として機能する。
【００３０】
３０４はネットワークインターフェースカード（ＮＩＣ）で、ネットワーク１０５を介して、他のノードとデータをやりとりする。
【００３１】
３０６はパネルコントローラ（ＰＡＮＥＬＣ）で、複合機に備えられたオペレーションパネル（ＰＡＮＥＬ）３１１からの指示入力を制御する。
【００３２】
３０７はディスプレイコントローラ（ＤＩＳＰＣ）で、例えば液晶ディスプレイなどで構成される表示モジュール（ＤＩＳＰＬＡＹ）３１２の表示を制御する。
【００３３】
３０８はディスクコントローラ（ＤＫＣ）であり、大容量記憶画像形成装置であるハードディスク（ＨＤ）３１３を制御する。
【００３４】
３０９はスキャナコントローラ（ＳＣＡＮＣ）で、複合機に備えられた光学式スキャナ装置（スキャナ）３１４を制御し、紙原稿の読み取りを行う。
【００３５】
３１０はプリンタコントローラ（ＰＲＮＣ）で、複合機に備えられたプリンタ装置（プリンタ）３１５を制御し、電子写真技術やインクジェット技術などの既知の印刷技術を利用して実際の用紙に印刷を行う。
【００３６】
なお、図１に示したプリンタ１０３の内部構成は、上記で示した複合機１０４の内部構成よりスキャナコントローラ３０９及び光学式スキャナ装置３１４を除いたものと考えることができる。さらに、パネルコントローラ（ＰＡＮＥＬＣ）３０６、オペレーションパネル３１１、ディスプレイコントローラ（ＤＩＳＰＣ）３０７、表示モジュール（ＤＩＳＰＬＡＹ）３１２などを取り除いた構成でもよい。
【００３７】
＜ホストコンピュータの機能的構成＞
図４は、図１に示したホストコンピュータ１０１の機能的構成の一例を示すブロック図である。
【００３８】
図４において、４００はホストコンピュータ全体である。
【００３９】
４０１は印刷指示を行う印刷アプリケーションであり、プリンタドライバ４０２に対して描画命令などを送信することにより、印刷指示を行う。
【００４０】
４０２はプリンタドライバで、印刷アプリケーション４０１から受けた描画命令などを複合機が解釈可能な印刷データ、すなわちＰＤＬ（Ｐａｇｅ  Ｄｅｓｃｒｉｐｔｉｏｎ  Ｌａｎｇｕａｇｅ；ページ記述言語）に変換する。さらに、プリンタドライバ４０２は、印刷アプリケーション４０１を操作して印刷を指示したユーザーのユーザーＩＤをジョブオーナー情報として付加し、印刷ジョブを作成し、印刷ジョブ送信部４０３に送信する。
【００４１】
４０３は印刷ジョブ送信部で、プリンタドライバ４０２より受け取った印刷ジョブを複合機１０４に送信する。
【００４２】
４０４はＷｅｂブラウザで、ＨＴＭＬデータを解釈し、表示モジュール２１０へ画面描画を行い、キーボード等からのユーザー操作を受け付け、ＨＴＴＰ通信部４０５へ要求を送信する。
【００４３】
４０５はＨＴＴＰ通信部で、Ｗｅｂブラウザからの通信要求を受けて画像処理装置等とＮＩＣ２０４を経由してＨＴＴＰ又はＨＴＴＰＳプロトコルを用いて通信を行いＷｅｂページの要求、Ｗｅｂページデータの受信等を行う。
【００４４】
＜分析サーバーの機能的構成＞
図５は、図１に示した分析サーバー１０２の機能的構成の一例を示すブロック図である。
図５において、５００は分析サーバー全体である。
【００４５】
５０１はインターフェース部であり、図２に示したＮＩＣ２０４を通じてネットワーク１０５を経由して、ホストコンピュータ１０１、プリンタ１０３、複合機１０４との通信を行う。
【００４６】
５０２はジョブログ収集部であり、プリンタ１０３、複合機１０４のジョブログ管理部６１０により管理されているジョブログ情報を、インターフェース部５０１を経由して定期的に収集して保管する。また、プリンタ１０３、複合機１０４がジョブログ情報を送信し、ジョブログ収集部５０２がジョブログ情報を受信した際にジョブログ情報を保管するようにしても良い。
【００４７】
５０３は分析処理部であり、ジョブログ情報や状態遷移ログ情報をもとに複合機１０４などの画像形成装置の二酸化炭素排出量、消費電力、各モードの時間、電源状態変更の設定値と効果などの分析処理をする。
【００４８】
５０４は画像形成装置情報管理部であり、画像形成装置の能力情報、構成情報、消費電力情報などを保持する。また、インターフェース部５０１を経由してプリンタ１０３、複合機１０４より能力情報や構成情報を取得して保管する。
【００４９】
５０５は電源状態管理部であり、インターフェース部５０１を経由してプリンタ１０３、複合機１０４より電源状態通知を受信し、状態遷移ログを作成して保管する。また、電源状態変更の設定を保管し、その設定値に基づき、インターフェース部５０１を経由してプリンタ１０３、複合機１０４へ電源オフや省電力移行などの電源状態変更要求を送信し、リモートで電源状態を変更する。
【００５０】
＜複合機の機能的構成＞
図６は、図１に示した複合機１０４のデータ処理構成の一例を示すブロック図である。
【００５１】
図６において、６００は複合機全体を示す。
【００５２】
６０１はインターフェース部であり、ネットワーク１０５と接続し、ホストコンピュータ１０１から印刷ジョブを受信する。
【００５３】
６０２は印刷データ格納部であり、印刷ジョブデータを一時的に格納する。
【００５４】
６０３はＵＩ制御部であり、パネルコントローラ（ＰＡＮＥＬＣ）３０６を経由してオペレーションパネル３１１を制御し、ユーザーからの複合機１０４へのコピー指示や、スキャン送信指示を受け付ける。
【００５５】
６０４はジョブ管理部であり、ホストコンピュータ１０１から受信する印刷ジョブを解析し、ユーザー名や印刷部数やカラー印刷などの出力属性情報を取得し、ジョブの開始日時と共にジョブ情報として管理する。
【００５６】
６０５は印刷データ展開部であり、ジョブ管理部６０４に格納されたジョブ情報に従い、印刷データ格納部６０２から印刷データを取得して画像生成処理を行い、イメージデータをＲＡＭ３０３上に生成する。
【００５７】
６０６はスキャナ制御部であり、スキャナコントローラ３０９を制御し、紙原稿のスキャンを行い、作成されたイメージデータを作成する。なお、スキャナ制御部６０６では、原稿給送装置として、ＡＤＦ、ＲＤＦ等を接続可能とする場合には、ＡＤＦ又はＲＤＦからの原稿給紙と原稿排紙を制御する。また、両面原稿を読み取る場合には、スキャナ制御部６０６は、原稿の反転制御を行う場合もある。
【００５８】
６０７はイメージデータ格納部であり、印刷データ展開部６０５、スキャナ制御部６０６が生成したイメージデータを一時的に格納する。
【００５９】
６０８はプリンタ制御部であり、プリンタエンジン６０９を制御し、イメージデータ格納部６０７に格納されたイメージデータの印刷を行わせる。
【００６０】
６０９はプリンタエンジンであり、イメージデータ格納部６０７に格納されたイメージデータを、電子写真技術やインクジェット技術などの既知の印刷技術を用いて印刷用紙などのメディアに実際に印刷する。
【００６１】
６１０はジョブログ管理部であり、ジョブログ情報を管理する。ジョブ管理部６０４は、ジョブが完了すると管理するジョブ情報をジョブログ情報としてジョブログ管理部６１０に送信し、ジョブログ管理部６１０で保管する。ジョブログ管理部６１０は、分析サーバー１０２からの要求に応答してジョブログを送信する。
【００６２】
６１２は電源制御部であり、複合機１０３、１０４の電源を制御し、通常モード、省電力モード（動作モード）、電源オフの３つの電源状態を管理する。省電力モードは、通常モードよりも電力消費量が小さいモードである。なお、電源制御部６１２は、省電力モードを複数段階にしたり、複合機１０３、１０４の構成モジュール毎に省電力モードを設けるようにしても構わない。電源制御部６１２は、種々の条件に応じて、各電源状態に移行可能である。例えば、電源制御部６１２は、通常モードにおいて、複合機１０３、１０４に対して一定時間操作が行われず、印刷ジョブの受信、ＦＡＸ受信、ネットワークからの命令受信等が行われなかった場合に省電力モードへ移行する。また、電源制御部６１２は、省電力モードにおいて、何らかの操作が行われた、印刷ジョブの受信、ＦＡＸ受信、ネットワークからの命令受信等が行われた場合に、通常モードに移行する。電源制御部６１２は、電源状態を変更するときに電源状態通知部６１１に通知する。さらに、電源制御部６１２は、分析サーバー１０２からの電源オフや省電力移行などの電源状態変更要求に応じて電源状態を変更する。
【００６３】
６１１は電源状態通知部であり、電源制御部６１２からの通知を受けて、インターフェース部６０１を介して通知する。また、電源状態通知部６１１は、通常モードで動作中にも定期的に電源状態を通知している。具体的には、電源状態通知には、稼動中、省電力移行、省電力解除、電源オン、電源オフの種別が含まれる。稼働中の通知は、複合機が通常モードで動作中であることを示し、通常モードで動作中に定期的に行われる。省電力移行の通知は、複合機が通常モードから省電力モードへ移行するときに通知される。省電力解除の通知は、複合機が省電力モードから通常モードへ移行するときに通知される。電源オンの通知は、複合機が電源オフ状態から電源が投入され、通常モードに移行するときに行われる。電源オフの通知は、複合機が電源オフに移行するときに行われる。なお、インターフェース部６０１を介した通知の方法としては、独自の通信規約でも、公に定義された通信規約を使用しても構わない。また、予め指定された分析サーバー１０２でも、マルチキャストやブロードキャストで複数の相手に通知してもよい。
【００６４】
なお、スキャナを持たないプリンタ１０３の構成は、図６で説明した複合機１０４の構成から、スキャナ制御部６０６、ＵＩ制御部６０３などを除いた構成と考えることができる。
【００６５】
＜画像形成装置情報テーブル＞
図７は、図５に示した画像情報形成装置情報管理部５０４が備える画像情報形成装置情報テーブルの一例を示す図である。
【００６６】
図７において、７０１の列は画像形成装置ＩＤであり、画像形成装置をシステム内で一意に識別するＩＤを示す。
【００６７】
７０２の列は画像形成装置名を示す。
【００６８】
さらに、画像情報形成装置消情報デーブルは、画像形成装置が、外部からの電源状態変更要求に応じて電源状態変更する機能があるかの情報を保持する。本実施形態では電源状態変更要求として、電源オフ要求、省電力移行要求に応じて各電源状態に移行する機能があるかの情報を保持した場合の例を示す。
【００６９】
７０３の列は画像形成装置に、外部からの電源オフ要求に応じて電源オフする機能があるかを示す。
【００７０】
７０４の列は画像形成装置に、外部からの省電力移行要求に応じて省電力移行する機能があるかを示す。
【００７１】
さらに、画像情報形成装置消情報デーブルは、画像形成装置の構成情報を保持する。本実施形態では構成情報として、カラー印刷機能、スキャン機能、ファックス機能の構成情報を保持した場合の例を示す。
【００７２】
７０５の列は画像形成装置にカラー機能があるかを示す。
【００７３】
７０６の列は画像形成装置にスキャン機能があるかを示す。
【００７４】
７０７の列は画像形成装置にファックス機能があるかを示す。
【００７５】
７０８の列は通常モード時の消費電力を示す。
【００７６】
７０９の列は省電力モード時の消費電力を示す。
【００７７】
７１０の列は電源オフ時の消費電力を示す。
７１１の列はジョブ処理時のジョブ１ページあたりの消費電力を示す。なお、ジョブ種やカラーモードなどの出力条件によって、ジョブ処理時の消費電力が異なる場合は、それらの出力条件ごとにジョブ処理時の消費電力を保持するようにすることもできる。
【００７８】
画像情報形成装置情報管理部５０４が管理するこれらの情報により、画像形成装置の構成情報や消費電力がわかる。
【００７９】
例えば、画像形成装置情報７１１は、画像形成装置Ａは、リモート電源オフ機能、リモート省電力移行機能、カラー機能、スキャン機能、ファックス機能がすべてあり、通常モード時に１００Ｗ、省電力モード時に１Ｗ、電源オフ時に０Ｗ、ジョブ処理時に３Ｗｈ／ページの電力を消費することを示す。
【００８０】
画像形成装置情報テーブルの各設定値は、画像形成装置の機種によって初期値を決めるようにすることもできる。画像形成装置の機種名や構成情報は、画像情報形成装情報管理部５０４により、例えばＳＮＭＰなどのプロトコルを使用しネットワークを経由して複合機から取得することができる。
【００８１】
または、分析サーバー１０２の入力装置より設定値を指定・変更するようにすることもできる。
【００８２】
＜ジョブログテーブル＞
図８は、図５に示したジョブログ収集部５０２が備えるジョブログテーブルの一例を示す図である。
【００８３】
図８において、８０１の列はジョブログＩＤであり、ジョブログをシステム内で一意に識別するＩＤである。
【００８４】
８０２の列は、ジョブを処理した画像形成装置の画像形成装置ＩＤである。
【００８５】
８０３の列は、ジョブ種であり、ジョブ種としては、ホストからの印刷であるプリント、コピー、スキャン、複合機内に保存された文書を印刷するボックスプリントなどが挙げられる。
【００８６】
８０４の列は、ジョブの処理開始日時である。
【００８７】
８０５の列は、ジョブの処理終了日時である。
【００８８】
８０６の列は、カラーページ数であり、該当ジョブにより印刷されたカラーページのページ数が記録される。
【００８９】
８０７の列は、白黒ページ数であり、該当ジョブにより印刷された白黒ページのページ数が記録される。
【００９０】
８０８の列は、スキャンページ数であり、該当ジョブによりスキャンされたページ数が記録される。スキャンページ数は、カラースキャンページ数、白黒スキャンページ数など区別して記録することもできる。
【００９１】
これらの情報により、誰が、どのようなジョブがどの日時に開始され終了したかというジョブログ情報を記録する。
【００９２】
例えば、８０９のジョブログは、画像形成装置ＩＤが１０１の画像形成装置で２０１０／４／２５  １４：２５：３０に開始し、２０１０／４／２５  １４：４０：３０に終了したコピージョブが実行されたことを示している。さらに、このジョブでは、１０ページスキャンされ、１０ページのカラー印刷が行われたことを示している。
【００９３】
また、ジョブログテーブルをジョブ種毎に作成するように構成してもよい。
【００９４】
＜状態遷移ログテーブル＞
図９は、図５に示した電源状態管理部５０５が備える状態遷移ログテーブルの一例を示す図である。状態遷移ログテーブルは、電源状態通知およびジョブログより計算した画像形成装置の状態遷移についてのログを記録するテーブルである。電源状態管理部５０５は、プリンタ１０３や複合機１０４から電源状態通知を受信すると、受信した電源状態通知の種類とともに、受信した日時を状態遷移ログテーブルに記録する。また、ジョブログ収集部５０２はジョブログ収集時に、ジョブログよりジョブ開始日時に電源状態が「ジョブ処理中」に遷移し、ジョブ終了日時に元の状態に戻るように状態遷移ログテーブルを更新する。
【００９５】
図９において、９０１の列は状態が遷移した画像形成装置の画像形成装置ＩＤである。
９０２の列は、状態が遷移した日時である。
【００９６】
９０３の列は、遷移した状態である。
【００９７】
例えば、９０５の状態遷移ログは、画像形成装置ＩＤが１０１の画像形成装置が２０１０／４／２６  ０９：０１：−００にジョブ処理中に状態遷移したことを示している。
【００９８】
＜分析結果テーブル＞
図１０は、図５に示した分析処理部５０３が備える月別の分析結果テーブルの一例を示す図である。分析結果テーブルは、ジョブログ、状態遷移ログ情報、および画像形成装置情報より計算した画像形成装置の分析結果を記録するテーブルである。
【００９９】
図１０において、１００１の列は集計月であり、該当行がいつの月の計算結果であるかを示す。本実施例では月単位になっているが、計算を実施する周期などによって、年単位、週単位にもすることもできる。
【０１００】
１００２の列は、画像形成装置ＩＤであり、該当行がどの画像形成装置の計算結果であるかを示す。
【０１０１】
１００３の列は、二酸化炭素排出量であり、該当行の集計月の消費電力量や消費用紙枚数などから換算して算出した二酸化炭素の排出量を示す。
【０１０２】
１００４の列は、画像形成装置が使用されていない時間帯を電源オフ・省電力モードになるように、画像形成装置の電源オフ・省電力モード移行時刻を設定した場合の二酸化炭素排出量の予測値を示す。
【０１０３】
１００５の列は、予め設定された二酸化炭素排出量・消費電力の削減目標値を達成するように、画像形成装置の電源オフ・省電力モード移行時刻を設定した場合の二酸化炭素排出量の予測値を示す。
【０１０４】
１００６の列は、消費電力であり、該当行の集計月に画像形成装置が消費した電力を示す。
【０１０５】
１００７の列は、画像形成装置が使用されていない時間帯を電源オフ・省電力モードになるように、画像形成装置の電源オフ・省電力モード移行時刻を設定した場合の消費電力の予測値を示す。
【０１０６】
１００８の列は、予め設定された二酸化炭素排出量・消費電力の削減目標値を達成するように、画像形成装置の電源オフ・省電力モード移行時刻を設定した場合の消費電力の予測値を示す。
【０１０７】
１００９の列は、ジョブ処理時間であり、該当行の集計月に画像形成装置が、ジョブ処理を行っていた時間の合計値を示す。
【０１０８】
１０１０の列は、通常モード時間であり、該当行の集計月に画像形成装置が、通常モードであった時間の合計値を示す。
【０１０９】
１０１１の列は、省電力モード時間であり、該当行の集計月に画像形成装置が、省電力モードであった時間の合計値を示す。
【０１１０】
１０１２の列は、電源オフ時間であり、該当行の集計月に画像形成装置が、電源オフであった時間の合計値を示す。
【０１１１】
消費電力分析結果テーブルの更新は、分析処理部５０３により例えば１ヶ月ごと、１時間ごと、１日ごとなど定期的に行う。
【０１１２】
図１１は、図５に示した分析処理部５０３が備える時間帯別の分析結果テーブルの一例を示す図である。分析結果テーブルは、ジョブログ、状態遷移ログ情報、および画像形成装置情報より計算した画像形成装置の分析結果を記録するテーブルである。
【０１１３】
図１１において、１１０１の列は集計月、１１０２の列は集計時間帯であり、該当行がいつの月のいつの時間帯の計算結果であるかを示す。
【０１１４】
１１０３の列は、画像形成装置ＩＤであり、該当行がどの画像形成装置の計算結果であるかを示す。
【０１１５】
１１０４の列は、二酸化炭素排出量であり、該当行の集計時間帯の消費電力量や消費用紙枚数などから換算して算出した二酸化炭素の排出量を示す。
【０１１６】
１１０５の列は、画像形成装置が使用されていない時間帯を電源オフ・省電力モードになるように、画像形成装置の電源オフ・省電力モード移行時刻を設定した場合の二酸化炭素排出量の予測値を示す。
【０１１７】
１１０６の列は、二酸化炭素排出量・消費電力の削減目標値を達成するように、画像形成装置の電源オフ・省電力モード移行時刻を設定した場合の二酸化炭素排出量の予測値を示す。
【０１１８】
１１０７の列は、消費電力であり、該当行の集計時間帯に画像形成装置が消費した電力を示す。
【０１１９】
１１０８の列は、画像形成装置が使用されていない時間帯を電源オフ・省電力モードになるように、画像形成装置の電源オフ・省電力モード移行時刻を設定した場合の消費電力の予測値を示す。
【０１２０】
１１０９の列は、二酸化炭素排出量・消費電力の削減目標値を達成するように、画像形成装置の電源オフ・省電力モード移行時刻を設定した場合の消費電力の予測値を示す。
【０１２１】
１１１０の列は、ジョブ処理時間であり、該当行の集計時間帯に画像形成装置が、ジョブ処理を行っていた時間の合計値を示す。
【０１２２】
１１１１の列は、通常モード時間であり、該当行の集計時間帯に画像形成装置が、通常モードであった時間の合計値を示す。
【０１２３】
１１１２の列は、省電力モード時間であり、該当行の集計時間帯に画像形成装置が、省電力モードであった時間の合計値を示す。
【０１２４】
１１１３の列は、電源オフ時間であり、該当行の集計時間帯に画像形成装置が、電源オフであった時間の合計値を示す。
【０１２５】
消費電力分析結果テーブルの更新は、分析処理部５０３により例えば１ヶ月ごと、１時間ごと、１日ごとなど定期的に行う。
【０１２６】
＜電源状態変更設定テーブル＞
図１２は、図５に示した電源状態管理部５０５が備える電源状態変更設定テーブルの一例を示す図である。電源状態変更設定テーブルは、各画像形成装置に対する、電源オフや省電力移行などの電源状態変更要求を送信する時刻の設定を保持するテーブルである。電源状態管理部５０５は、電源状態変更設定テーブルの設定値に従い、該当時刻に該当する電源状態になるように、対象の画像形成装置に要求を送信する。
【０１２７】
図１２において、１２０１の列は画像形成装置ＩＤであり、該当行がどの画像形成装置の設定であるかを示す。
【０１２８】
１２０２の列は、電源状態を変更する時刻の設定値を示す。
【０１２９】
１２０３の列は、送信する電源状態変更要求を示す。
【０１３０】
例えば、１２０４の設定は、画像形成装置ＩＤが１０１の画像形成装置に対して２２：００に電源オフ要求を送信することを示している。
【０１３１】
電源状態変更設定テーブルは、分析サーバー１０２の入力装置より設定値を指定・変更するようにすることもできる。
【０１３２】
＜分析処理＞
図１３は、本実施形態を示す情報処理装置における第１のデータ処理手順の一例を示すフローチャートである。なお、本例は、図１に示した分析サーバー１０２が情報処理装置として処理を行う例である。また、分析サーバー１０２では、本消費電力分析処理を一定間隔で実行する。
【０１３３】
なお、Ｓ１３０１〜Ｓ１３０５は各ステップを示し、各ステップは、ＣＰＵ２０１がＨＤ２１１、ＲＯＭ２０２等より制御プログラムをＲＡＭ２０３にロードして実行することで実現される。
【０１３４】
分析処理を開始すると、Ｓ１３０１で、分析処理部５０３は、ジョブログ収集部５０２に保管されているジョブログから、本処理を行っていないジョブログを取得する。
【０１３５】
続いてＳ１３０２で、分析処理部５０３は、Ｓ１３０１で取得したすべてのジョブログに対して分析処理を行い、結果を分析結果テーブルに保管する。
【０１３６】
続いてＳ１３０３で、分析処理部５０３は電源状態変更設定処理を行う。電源状態変更設定処理の詳細については後述する。
【０１３７】
続いてＳ１３０３で、分析処理部５０３は、Ｓ１３０３で計算した電源状態を変更した場合の二酸化炭素排出量が、予め設定された削減目標値を達成しているかを判定する。ここで、分析処理部５０３が、削減目標値を達成していると判定した場合は本処理を終了する。一方、分析処理部５０３が、削減目標値を達成していないと判定した場合はＳ１３０５に進む。
【０１３８】
Ｓ１３０５で、分析処理部５０３は電源状態変更再設定処理を行い、本処理を終了する。電源状態変更再設定処理の詳細については後述する。
【０１３９】
＜電源状態変更設定処理＞
図１４は、本実施形態を示す情報処理装置における第２のデータ処理手順の一例を示すフローチャートである。本例は、図１３に示したＳ１３０３で実行される電源状態変更設定処理の詳細手順例である。本電源状態変更設定処理では、時間帯別分析結果情報を使用し、画像形成装置が使用されていない時間帯は、画像形成装置が電源オフ・省電力モードに移行するように、電源状態変更情報を設定する。
【０１４０】
なお、Ｓ１４０１〜Ｓ１４１３は各ステップを示し、各ステップは、ＣＰＵ２０１がＨＤ２１１、ＲＯＭ２０２等より制御プログラムをＲＡＭ２０３にロードして実行することで実現される。
【０１４１】
電源状態変更設定処理を開始すると、Ｓ１４０１で、分析処理部５０３は、画像形成装置情報管理部５０４に保管されている画像形成装置情報を取得する。
【０１４２】
続いて分析処理部５０３は、Ｓ１４０２からＳ１４１３までのフローを未処理の画像形成装置情報について、処理を繰り返す。
【０１４３】
続いてＳ１４０３で、分析処理部５０３は、処理中の画像形成装置情報を参照してリモート電源情報変更機能（本実施例では、リモート電源オフ機能、またはリモート省電力移行機能）があるかを判定する。ここで、分析処理部５０３が、リモート電源情報変更機能があると判定した場合はＳ１４０４に進む。一方、分析処理部５０３が、リモート電源情報変更機能がないと判定した場合はＳ１４１３に進む。
【０１４４】
Ｓ１４０４で、分析処理部５０３は、処理中の画像形成装置の時間帯別分析結果情報を取得する。
【０１４５】
続いて分析処理部５０３は、Ｓ１４０５からＳ１４１２までのフローを未処理の時間帯別分析結果情報について、処理を繰り返す。
【０１４６】
続いてＳ１４０６で、分析処理部５０３は、処理中の時間帯別分析結果情報を参照し、その時間帯のジョブ処理中時間が０であるかを判定する。ここで、分析処理部５０３が、ジョブ処理中時間が０であると判定した場合はＳ１４０７に進む。一方、分析処理部５０３が、ジョブ処理中時間が０ではないと判定した場合はＳ１４１２に進む。
【０１４７】
Ｓ１４０７で、分析処理部５０３は、処理中の時間帯の前の時間帯の分析結果情報を参照し、その時間帯のジョブ処理中時間が０であるかを判定する。ここで、分析処理部５０３が、ジョブ処理中時間が０であると判定した場合はＳ１４０８に進む。一方、分析処理部５０３が、ジョブ処理中時間が０ではないと判定した場合はＳ１４１１に進む。
【０１４８】
Ｓ１４０８で、分析処理部５０３は、処理中の画像形成装置情報を参照してリモート電源オフ機能があるかを判定する。ここで、分析処理部５０３が、リモート電源オフ機能があると判定した場合はＳ１４０９に進む。一方、分析処理部５０３が、リモート電源オフ機能がないと判定した場合はＳ１４１０に進む。
【０１４９】
Ｓ１４０９で、分析処理部５０３は、画像形成装置ＩＤ１２０１を処理中の画像形成装置情報の画像形成装置ＩＤ、変更時刻１２０２を処理中の時間帯別分析結果情報の時間、変更要求１２０３を電源オフに設定した電源状態変更設定情報を生成し、図１２に示した電源状態変更設定テーブルに追加する。
【０１５０】
一方、Ｓ１４１０で、分析処理部５０３は、画像形成装置ＩＤ１２０１を処理中の画像形成装置情報の画像形成装置ＩＤ、変更時刻１２０２を処理中の時間帯別分析結果情報の時間、変更要求１２０３を省電力移行に設定した電源状態変更設定情報を生成し、図１２に示した電源状態変更設定テーブルに追加する。
【０１５１】
続いて、Ｓ１４１１で、分析処理部５０３は、Ｓ１４０９またはＳ１４１０で設定した電源状態に変更した場合の予測値を計算し、分析結果テーブルの二酸化炭素排出量（電源状態変更）を更新する。本実施例の場合は、月別分析結果テーブルの二酸化炭素排出量（電源状態変更）１００４、時間帯別分析結果テーブルの二酸化炭素排出量（電源状態変更）１１０５を更新する。
【０１５２】
続いて、Ｓ１４１２で、分析処理部５０３は、Ｓ１４０５〜Ｓ１４１２の処理を行っていない時間帯別分析結果情報があるかを判定する。ここで、分析処理部５０３が、Ｓ１４０５〜Ｓ１４１２の処理を行っていない時間帯別分析結果情報があると判定した場合はＳ１４０５に戻り処理を繰り返す。一方、分析処理部５０３が、Ｓ１４０５〜Ｓ１４１２の処理を行っていない時間帯別分析結果情報がないと判定した場合はＳ１４１３に進む。
【０１５３】
続いて、Ｓ１４１３で、分析処理部５０３は、Ｓ１４０２〜Ｓ１４１３の処理を行っていない画像形成装置情報があるかを判定する。ここで、分析処理部５０３が、Ｓ１４０２〜Ｓ１４１３の処理を行っていない画像形成装置情報があると判定した場合はＳ１４０２に戻り処理を繰り返す。一方、分析処理部５０３が、Ｓ１４０２〜Ｓ１４１２の処理を行っていない画像形成装置情報がないと判定した場合は、本処理を終了する。
【０１５４】
本処理により、画像形成装置が使用されていない時間帯は、画像形成装置が電源オフ・省電力モードに移行するような電源状態変更の設定ができる。本処理で設定した電源状態変更設定に従い、画像形成装置の電源状態を変更することで、消費電力を低減することができる。
【０１５５】
＜電源状態変更再設定処理＞
図１５は、本実施形態を示す情報処理装置における第３のデータ処理手順の一例を示すフローチャートである。本例は、図１３に示したＳ１３０５で実行される電源状態変更再設定処理の詳細手順例である。本電源状態変更再設定処理では、予め設定された削減目標値を達成できるように電源状態変更情報を設定する。また、本処理では、画像形成装置情報の構成情報を使用し、電源状態を優先的に変更するように予め設定された画像形成装置の電源状態変更の対象にする。さらに、ジョブ処理時間が少ない時間帯を優先的に電源状態変更の対象にする。
【０１５６】
なお、Ｓ１５０１〜Ｓ１５１６は各ステップを示し、各ステップは、ＣＰＵ２０１がＨＤ２１１、ＲＯＭ２０２等より制御プログラムをＲＡＭ２０３にロードして実行することで実現される。
【０１５７】
電源状態変更再設定処理を開始すると、Ｓ１５０１で、分析処理部５０３は、画像形成装置情報管理部５０４に保管されている画像形成装置情報を取得する。
【０１５８】
続いて、分析処理部５０３は、Ｓ１５０２からＳ１５０６までのフローを未処理の画像形成装置情報について、処理を繰り返す。
【０１５９】
続いてＳ１５０３で、分析処理部５０３は、処理中の画像形成装置情報を参照してリモート電源情報変更機能（本実施例では、リモート電源オフ機能、またはリモート省電力移行機能）があるかを判定する。ここで、分析処理部５０３が、リモート電源情報変更機能があると判定した場合はＳ１５０４に進む。一方、分析処理部５０３が、リモート電源情報変更機能がないと判定した場合はＳ１５０６に進む。
【０１６０】
Ｓ１５０４で、分析処理部５０３は、処理中の画像形成装置情報の構成情報を参照して、優先的に電源状態を変更する構成であるかを判定する。ここで、分析処理部５０３が、優先的に電源状態を変更する構成であると判定した場合はＳ１５０５に進む。一方、分析処理部５０３が、優先的に電源状態を変更する構成ではないと判定した場合はＳ１５０６に進む。本ステップでは、例えば、カラー機能やスキャン機能がない画像形成装置を優先的に電源状態変更するように設定しておき、カラー機能やスキャン機能がある画像形成装置が電源オフ・省電力モードに移行することを防ぐことができる。これにより、ユーザーがその機能を使用するために、画像形成装置の電源をオンにするといったことを防ぎ、消費電力を低減することができる。
【０１６１】
Ｓ１５０５で、分析処理部５０３は、処理中の画像形成装置情報を、電源状態変更候補画像形成装置リストに追加する。
【０１６２】
続いて、Ｓ１５０６で、分析処理部５０３は、Ｓ１５０２〜Ｓ１５０６の処理を行っていない画像形成装置情報があるかを判定する。ここで、分析処理部５０３が、Ｓ１５０２〜Ｓ１５０６の処理を行っていない画像形成装置情報があると判定した場合はＳ１５０２に戻り処理を繰り返す。一方、分析処理部５０３が、Ｓ１５０５〜Ｓ１５０６の処理を行っていない画像形成装置情報がないと判定した場合はＳ１５０７に進む。
【０１６３】
Ｓ１５０７で、分析処理部５０３は、電源状態変更候補画像形成装置リスト内の画像形成装置の時間帯別分析結果情報を取得する。
【０１６４】
続いてＳ１５０８で、分析処理部５０３は、Ｓ１５０７で取得した時間帯別分析結果情報について、第１ソートキーをジョブ処理中時間１１１０の降順、第２ソートキーを消費電力１１０７の昇順としてソートする。また、ジョブ処理中時間でソートする際に、例えば５分単位で同時間とみなすなどして、同時間であれば消費電力の大きいものを優先的に電源状態変更の対象になるようにする。
【０１６５】
続いて、分析処理部５０３は、Ｓ１５０９からＳ１５１５までのフローを未処理の時間帯別分析結果情報について、処理を繰り返す。
【０１６６】
続いてＳ１５１０で、分析処理部５０３は、処理中の時間帯別分析結果情報に該当する画像形成装置情報を参照して、リモート電源オフ機能があるかを判定する。ここで、分析処理部５０３が、リモート電源オフ機能があると判定した場合はＳ１５１１に進む。一方、分析処理部５０３が、リモート電源オフ機能がないと判定した場合はＳ１５１２に進む。
【０１６７】
Ｓ１５１１で、分析処理部５０３は、画像形成装置ＩＤ１２０１を処理中の時間帯別分析結果情報の画像形成装置ＩＤ、変更時刻１２０２を処理中の時間帯別分析結果情報の時間、変更要求１２０３を電源オフに設定した電源状態変更設定情報を生成し、図１２に示した電源状態変更設定テーブルに追加する。
【０１６８】
一方、Ｓ１５１２で、分析処理部５０３は、画像形成装置ＩＤ１２０１を処理中の時間帯別分析結果情報の画像形成装置ＩＤ、変更時刻１２０２を処理中の時間帯別分析結果情報の時間、変更要求１２０３を省電力移行に設定した電源状態変更設定情報を生成し、図１２に示した電源状態変更設定テーブルに追加する。
【０１６９】
続いて、Ｓ１５１３で、分析処理部５０３は、Ｓ１５１１またはＳ１５１２で設定した電源状態に変更した場合の予測値を計算し、分析結果テーブルの二酸化炭素排出量（目標値達成）を更新する。本実施例の場合は、月別分析結果テーブルの二酸化炭素排出量（目標値達成）１００５、時間帯別分析結果テーブルの二酸化炭素排出量（目標値達成）１１０６を更新する。
【０１７０】
続いてＳ１５１４で、分析処理部５０３は、Ｓ１５１３で更新された分析結果情報の二酸化炭素排出量を参照し、予め設定された削減目標値を達成していないかを判定する。ここで、分析処理部５０３が、削減目標値を達成していないと判定した場合はＳ１５１５に進む。一方、分析処理部５０３が、削減目標値を達成していると判定した場合は、本処理を終了する。
【０１７１】
Ｓ１５１５で、分析処理部５０３は、Ｓ１５０９〜Ｓ１５１５の処理を行っていない時間帯別分析結果情報があるかを判定する。ここで、分析処理部５０３が、Ｓ１５０９〜Ｓ１５１５の処理を行っていない時間帯別分析結果情報があると判定した場合はＳ１５０９に戻り処理を繰り返す。一方、分析処理部５０３が、Ｓ１５０９〜Ｓ１５１５の処理を行っていない時間帯別分析結果情報がないと判定した場合は、本処理を終了する。
【０１７２】
本処理により、予め設定された削減目標値を達成するための、画像形成装置の電源オフ・省電力モードの移行時間がわかる。
【符号の説明】
【０１７３】
１０１  ホストコンピュータ
１０３  プリンタ
１０５  ネットワーク
【図１】
2012253577.tif 000003
【図２】
2012253577.tif 000004
【図３】
2012253577.tif 000005
【図４】
2012253577.tif 000006
【図５】
2012253577.tif 000007
【図６】
2012253577.tif 000008
【図７】
2012253577.tif 000009
【図８】
2012253577.tif 000010
【図９】
2012253577.tif 000011
【図１０】
2012253577.tif 000012
【図１１】
2012253577.tif 000013
【図１２】
2012253577.tif 000014
【図１３】
2012253577.tif 000015
【図１４】
2012253577.tif 000016
【図１５】
2012253577.tif 000017